(57)【要約】【課題】吐出させる内容物によって形成される造形物を、従来よりも更に見栄えよく造形することが可能な吐出ヘッド、及びエアゾール式吐出容器を提案する。【解決手段】本発明の吐出ヘッド１は、吐出容器１００のステム１０１ｃ、１０２ｃから吐出される内容物を内部空間Ｎに送給する送給筒３ｅ、３ｆと、内部空間Ｎに連通する成形孔４ｃ、４ｄを複数備える造形壁４ｂとを有し、成形孔４ｃ、４ｄから内容物を吐出させて形作られる造形要素が造形壁４ｂの面上で組み合わさって内容物の造形物が形成されるものであり、送給筒３ｅ、３ｆを複数備え、内部空間Ｎは、それぞれの送給筒３ｅ、３ｆから送給される内容物を所定の成形孔４ｃ、４ｄまで個別に通過させる複数の内部通路Ｔ１、Ｔ２で構成される。【選択図】図１
2019189306.tif 000002
【特許請求の範囲】
【請求項１】
吐出容器のステムから吐出される内容物を内部空間に送給する送給筒と、該内部空間に連通する成形孔を複数備える造形壁とを有し、該成形孔から内容物を吐出させて形作られる造形要素が該造形壁の面上で組み合わさって内容物の造形物が形成される吐出ヘッドであって、
前記送給筒を複数備え、
前記内部空間は、それぞれの送給筒から送給される内容物を所定の前記成形孔まで個別に通過させる複数の内部通路で構成される、吐出ヘッド。
【請求項２】
複数の前記送給筒を備えるとともに該送給筒から吐出される内容物をそれぞれ通過させる複数の開口を備える天壁を有し、該天壁を前記造形壁に対して対向姿勢で備えるベース部材と、
前記ベース部材に取り付けられるとともに前記造形壁を備える吐出部材と、を備え、
前記造形壁及び前記天壁の何れか一方は、何れか他方に向けて突出し、前記開口の一つと前記成形孔の少なくとも一つとを取り囲んで前記内部通路を区画形成する隔壁を有する請求項１に記載の吐出ヘッド。
【請求項３】
前記吐出部材は、前記造形壁の外側において、前記ステムから内容物を吐出させる際に該吐出部材を押し下げるための指掛け部を有する請求項２に記載の吐出ヘッド。
【請求項４】
前記吐出容器に取り付けられる保持部材を有し、
前記ベース部材は、前記保持部材に対して上下動可能に保持される請求項２又は３に記載の吐出ヘッド。
【請求項５】
前記吐出容器は、複数の吐出容器体を組み合わせて構成され、該吐出容器体のそれぞれは、前記ステムを一つ備えるマウンティングカップを有する請求項１〜４の何れか一項に記載の吐出ヘッド。
【請求項６】
前記吐出容器は、前記ステムを複数備えるマウンティングカップを有する一の吐出容器体で構成される請求項１〜４の何れか一項に記載の吐出ヘッド。
【請求項７】
前記造形物は、一の色の前記造形要素と他の色の前記造形要素が前記造形壁の面上で組み合わさって２色で形成される請求項１〜６の何れか一項に記載の吐出ヘッド。
【請求項８】
前記造形物は泡状である、請求項１〜７の何れか一項に記載の吐出ヘッド。
【請求項９】
請求項１〜８の何れか一項に記載の吐出ヘッドを、エアゾール式の前記吐出容器に設けた、エアゾール式吐出容器。
【発明の詳細な説明】
【技術分野】
【０００１】
本発明は、吐出容器に装着されて内容物を吐出する吐出ヘッドに関するものであり、特に、吐出した内容物によって所定形状の造形物が形成される吐出ヘッド、及びこの吐出ヘッドをエアゾール式の吐出容器に装着したエアゾール式吐出容器に関する。
【背景技術】
【０００２】
近年、吐出容器に装着されて内容物を吐出する吐出ヘッドにおいては、吐出した内容物によって所定形状の造形物が形成されるものが出始めている。例えば特許文献１に示された吐出ヘッドは、頂部に位置する造形壁に、内容物が通過する複数の成形孔が設けられていて、これらの成形孔から吐出される内容物の造形要素が造形壁の面上で組み合わさることで、所定の造形物が形成されるようにしている。このような吐出ヘッドによれば、成形孔の大きさや形状、位置などに応じて、様々な造形物を形成することができる。例えば特許文献１では一例として、内容物が薔薇のような八重咲きの花として造形される吐出ヘッドを開示している。
【先行技術文献】
【特許文献】
【０００３】
【特許文献１】特開２０１６−２６９６２号公報
【発明の概要】
【発明が解決しようとする課題】
【０００４】
このように、従来の吐出ヘッドでも複雑な造形物が形成可能であるが、更に見栄えのよい造形物が形成できれば、これまでの吐出ヘッドよりも付加価値が高まることになる。
【０００５】
本発明は、このような事情に鑑みてなされたものであり、吐出させる内容物によって形成される造形物を、従来よりも更に見栄えよく造形することが可能な吐出ヘッド、及びエアゾール式吐出容器を提供することを目的とする。
【課題を解決するための手段】
【０００６】
本発明は、吐出容器のステムから吐出される内容物を内部空間に送給する送給筒と、該内部空間に連通する成形孔を複数備える造形壁とを有し、該成形孔から内容物を吐出させて形作られる造形要素が該造形壁の面上で組み合わさって内容物の造形物が形成される吐出ヘッドであって、
前記送給筒を複数備え、
前記内部空間は、それぞれの送給筒から送給される内容物を所定の前記成形孔まで個別に通過させる複数の内部通路で構成される、吐出ヘッドである。
【０００７】
複数の前記送給筒を備えるとともに該送給筒から吐出される内容物をそれぞれ通過させる複数の開口を備える天壁を有し、該天壁を前記造形壁に対して対向姿勢で備えるベース部材と、
前記ベース部材に取り付けられるとともに前記造形壁を備える吐出部材と、を備え、
前記造形壁及び前記天壁の何れか一方は、何れか他方に向けて突出し、前記開口の一つと前記成形孔の少なくとも一つとを取り囲んで前記内部通路を区画形成する隔壁を有することが好ましい。
【０００８】
前記吐出部材は、前記造形壁の外側において、前記ステムから内容物を吐出させる際に該吐出部材を押し下げるための指掛け部を有することが好ましい。
【０００９】
前記吐出容器に取り付けられる保持部材を有し、
前記ベース部材は、前記保持部材に対して上下動可能に保持されることが好ましい。
【００１０】
前記吐出容器は、複数の吐出容器体を組み合わせて構成され、該吐出容器体のそれぞれは、前記ステムを一つ備えるマウンティングカップを有することが好ましい。
【００１１】
前記吐出容器は、前記ステムを複数備えるマウンティングカップを有する一の吐出容器体で構成されることが好ましい。
【００１２】
前記造形物は、一の色の前記造形要素と他の色の前記造形要素が前記造形壁の面上で組み合わさって２色で形成されることが好ましい。
【００１３】
前記造形物は、泡状であることが好ましい。
【００１４】
また本発明は、前記吐出ヘッドを、エアゾール式の前記吐出容器に設けた、エアゾール式吐出容器でもある。
【発明の効果】
【００１５】
本発明の吐出ヘッドは、ステムから吐出される内容物を送給する送給筒を複数備えていて、吐出ヘッドの内部空間は、それぞれの送給筒から送給される内容物を所定の成形孔まで個別に通過させる複数の内部通路で構成されるようにしている。このため、複数の内容物を個別に充填するとともに、それぞれの内容物を吐出するステムを備える容器に使用することによって、造形物を複数の内容物で形成することができる。例えば２色の内容物を個別に充填するとともに、それぞれの内容物を吐出する２つのステムを持つ吐出容器に対し、本発明に従う吐出ヘッドには、２つの送給筒と２つの内部通路を設けることによって、造形物におけるある造形要素は１色で形成し、残りの造形要素は他の１色で形成することができる。このように本発明の吐出ヘッドによれば、一種類の内容物で造形物を形成していた従来の吐出ヘッドに比して高い装飾性が得られるため、更に見栄えがよくなる。
【００１６】
また本発明の吐出ヘッドを、上述したベース部材と吐出部材とを備えるものとし、更に上述した隔壁を設ける場合は、比較的簡素な構成でありながら上述した効果を実現することができる。
【００１７】
また、内容物を吐出させるにあたって造形壁を押圧すると、吐出される内容物に指が触れて造形物の形が崩れるおそれがあるが、上述した指掛け部を設ける場合は造形壁を押す必要がないため、意図した通りの形で造形物を形成することができる。
【００１８】
また、上述した保持部材に対してベース部材を上下動可能に保持させる場合は、保持部材によってベース部材を安定的に動かすことができるため、操作性がよくなる。
【００１９】
本発明の吐出ヘッドを取り付ける吐出容器は、複数の吐出容器体を組み合わせて構成されるものであって、吐出容器体のそれぞれがステムを一つ備えるマウンティングカップを有するものでもよいし、一の吐出容器体で構成されるものであって、この吐出容器体がステムを複数備えるマウンティングカップを有するものでもよい。
【図面の簡単な説明】
【００２０】
【図１】本発明に従う吐出ヘッドの第一実施形態につき、これをエアゾール式の吐出容器に装着してエアゾール式吐出容器として示した平面図と断面図（吐出容器は側面図）である。
【図２】図１に示したベース部材の平面図と断面図である。
【図３】図１に示す吐出ヘッド内にステムから吐出された内容物が送給される状況を説明する図である。
【図４】本発明に従う吐出ヘッドの第二実施形態につき、これをエアゾール式の他の吐出容器に装着してエアゾール式吐出容器として示した平面図と断面図（吐出容器は側面図）である。
【図５】図４に示す吐出ヘッド内にステムから吐出された内容物が送給される状況を説明する図である。
【発明を実施するための形態】
【００２１】
以下、本発明に従う吐出ヘッドの一実施形態について、図面を参照しながら説明する。なお、本明細書等における「上」、「下」の関係は、図１に示すように正立させた吐出容器に取り付けた状態での向きをいう。
【００２２】
図１〜図３は、本発明に従う吐出ヘッドの第一実施形態について示した図である。本実施形態の吐出ヘッド１は、エアゾール式の吐出容器１００に取り付けて使用される。また吐出ヘッド１は、保持部材２、ベース部材３、吐出部材４で構成されている。
【００２３】
まず吐出容器１００について説明する。吐出容器１００は、複数の吐出容器体を組み合わせて構成されるものである。本実施形態においては、エアゾール式の２つの吐出容器体１０１、１０２を左右に並べて構成したものである。吐出容器体１０１、１０２は、有底円筒状となる金属製の容器本体１０１ａ、１０２ａと、容器本体１０１ａ、１０２ａの上端部で巻き締められて固着された金属製のマウンティングカップ１０１ｂ、１０２ｂとを備えている。またマウンティングカップ１０１ｂ、１０２ｂの中央部には、円筒状をなし、上方へ向けて付勢されているステム１０１ｃ、１０２ｃが設けられている。このような吐出容器体１０１、１０２の内部には、内容物と高圧ガスが充填されていて、ステム１０１ｃ、１０２ｃを下方へ向けて押圧することで、内容物を吐出させることができる。また本実施形態において、２つの吐出容器体１０１、１０２のそれぞれには、互いに異なる色であって、吐出後は泡状になる内容物が収められている。
【００２４】
保持部材２は、２つの吐出容器体１０１、１０２における２つのマウンティングカップ１０１ｂ、１０２ｂを全て取り囲む環状壁２ａを備えている。環状壁２ａの下部内周面には、マウンティングカップ１０１ｂ、１０２ｂに係合する爪部２ｂが設けられていて、保持部材２をマウンティングカップ１０１ｂ、１０２ｂに抜け止め保持している。なお環状壁２ａの内側には、環状壁２ａとともにマウンティングカップ１０１ｂ、１０２ｂをそれぞれ取り囲む内側壁２ｃが設けられている。環状壁２ａ及び内側壁２ｃの上部には、２つのマウンティングカップ１０１ｂ、１０２ｂの上面に沿って延在するとともに、２つのステム１０１ｃ、１０２ｃをそれぞれ露出させる２つの孔と、中央部に設けられる１つの孔とを有する頂壁２ｄが設けられている。頂壁２ｄにおける中央部の孔の縁部には、上方へ向けて延在する内側側壁２ｅが設けられている。また頂壁２ｄの外縁部には、上方へ向けて延在する上部環状壁２ｆが設けられている。
【００２５】
ベース部材３は、保持部材２の上方において水平方向に延在する天壁３ａを備えている。天壁３ａの外縁部には、上部環状壁２ｆを取り囲むようにして下方へ向けて延在するとともに下端部に外向きフランジを有する周壁３ｂが設けられている。ここで周壁３ｂは、上部環状壁２ｆに対して摺動可能となっている。また天壁３ａには、２つのステム１０１ｃ、１０２ｃの上方において、天壁３ａを貫通する２つの開口３ｃ、３ｄが設けられている。そして天壁３ａの下面には、開口３ｃ、３ｄとともにステム１０１ｃ、１０２ｃをそれぞれ取り囲む円筒状であって、ステム１０１ｃ、１０２ｃから吐出される内容物をそれぞれ開口３ｃ、３ｄに向けて送給する２つの送給筒３ｅ、３ｆが設けられている。更に、天壁３ａの下面における中央部には、隣り合う内側側壁２ｅの間に挿入される中央壁３ｇが設けられている。
【００２６】
また図２に示すように、ベース部材３における天壁３ａの上面には、開口３ｃを取り囲むとともに天壁３ａの中央部において大径の円形壁を形作る隔壁（外側隔壁）３ｈと、開口３ｄを取り囲むとともに外側隔壁３ｈの内側において小径の円形壁を形作る隔壁（内側隔壁）３ｊとが設けられている。
【００２７】
そして図１に示すように吐出部材４は、周壁３ｂを取り囲んでこの周壁３ｂに嵌合保持される外周壁４ａを備えている。また吐出部材４は、天壁３ａに対向する造形壁４ｂを備えていて、外周壁４ａの上端部は造形壁４ｂと一体に連結している。なお、造形壁４ｂの下面は、外側隔壁３ｈと内側隔壁３ｊの上面に対して液密に当接している。また造形壁４ｂには、これを貫通する複数の成形孔４ｃ、４ｄが設けられている。ここで成形孔４ｃは、本実施形態では楕円状に形成されるものである。またこれらの成形孔４ｃは、内側隔壁３ｊの外側であって且つ外側隔壁３ｈの内側に位置する部位において、全体として円環状をなすように配置されている。そして成形孔４ｄは、本実施形態では概略、矩形状に形成されている。またこれらの成形孔４ｄは、内側隔壁３ｊの内側に位置する部位において、全体で円形をなすように配置されている。このような構成によって、天壁３ａと造形壁４ｂとの間に形成される内部空間Ｎは、天壁３ａ及び造形壁４ｂと外側隔壁３ｈによって取り囲まれていて、且つ開口３ｃと成形孔４ｃが連通する内部通路（外側内部通路）Ｔ１と、天壁３ａ及び造形壁４ｂと内側隔壁３ｊによって取り囲まれていて、且つ開口３ｄと成形孔４ｄが連通する内部通路（内側内部通路）Ｔ２に区画されている。また外周壁４ａの下端部には、造形壁４ｂよりも外側に向かうように延在し、内容物を吐出する際に指で押圧する部位となる指掛け部４ｅが設けられている。
【００２８】
このような構成になる吐出ヘッド１から内容物を吐出させるには、指掛け部４ｅを指で押圧して、図３に示すように吐出部材４とベース部材３とを下方に向けて移動させる。ここで、ベース部材３の周壁３ｂは、上部環状壁２ｆを取り囲むとともに上部環状壁２ｆに対して摺動可能に設けられていて、また中央壁３ｇは、隣り合う内側側壁２ｅの間に挿入されている。このため、指掛け部４ｅを押圧した際に吐出部材４とベース部材３は、保持部材２に対して傾くことなく水平状態を保ったままスムーズに下方に移動する。そして、吐出部材４とベース部材３が下方に移動するに伴ってステム１０１ｃ、１０２ｃが押し下げられるため、吐出容器体１０１、１０２の内容物は、ステム１０１ｃ、１０２ｃからそれぞれ吐出される。そしてステム１０１ｃから吐出された内容物は、送給筒３ｅを経由して開口３ｃから外側内部通路Ｔ１に導入される。またステム１０２ｃから吐出された内容物は、送給筒３ｆを経由して開口３ｄから内側内部通路Ｔ２に導入される。ここで、外側内部通路Ｔ１と内側内部通路Ｔ２は、外側隔壁３ｈと内側隔壁３ｊによって別々の通路に分かれているため、内部空間Ｎで混合することはない。そして外側内部通路Ｔ１に導入された内容物は、図１に示すように全体として円環状に配置された成形孔４ｃから、ひまわりの花の外側部分の如き形態となる造形要素として吐出される。また内側内部通路Ｔ２に導入された内容物は、全体として円形状に配置された成形孔４ｄから、ひまわりの花の内側部分の如き形態となる造形要素として吐出される。従ってこれらの造形要素が組み合わさり、全体としてひまわりの花のような造形物が形成される。ここで、吐出容器体１０１、１０２の内容物は互いに色が異なるものであるため、成形孔４ｃから吐出される造形要素と成形孔４ｄから吐出される造形要素は異なる色となる。このため、造形物の形状のみならず、色によっても目を惹くことができ、高い装飾性を得ることができる。
【００２９】
次に、本発明に従う吐出ヘッドの第二実施形態について、図４、図５を参照しながら説明する。本実施形態の吐出ヘッド１１は、エアゾール式の吐出容器２００に取り付けて使用されるものである。また吐出ヘッド１１は、保持部材１２、ベース部材１３、吐出部材１４で構成されている。
【００３０】
本実施形態の吐出容器２００は、エアゾール式の一つの吐出容器体２０１で構成されるものである。吐出容器体２０１は、有底円筒状となる金属製の容器本体２０１ａの上端部に金属製のマウンティングカップ２０１ｂを巻き締めて固着させてものである。またマウンティングカップ２０１ｂには、円筒状をなし、上方へ向けて付勢されている２つのステム２０１ｃ、２０１ｄが設けられている。そして吐出容器体２０１の内部には、２種類の内容物が高圧ガスとともに別々に収容されていて、ステム２０１ｃ、２０１ｄを下方へ向けて押圧すると、それぞれのステム２０１ｃ、２０１ｄから２種類の内容物を別々に吐出することができる。なお、本実施形態においてもステム２０１ｃ、２０１ｄから吐出される内容物は、互いに異なる色であって、吐出後は泡状になるものである。
【００３１】
保持部材１２は、マウンティングカップ２０１ｂを取り囲む環状壁１２ａを備えていて、環状壁１２ａの下部内周面には、爪部１２ｂが設けられている。これにより保持部材１２は、マウンティングカップ２０１ｂに抜け止め保持される。環状壁１２ａの上端部は、基壁１２ｃと連結している。ここで基壁１２ｃは、容器本体２０１ａから上方に向けて環状に延在した後、径方向内側に向けて延在し、更にマウンティングカップ２０１ｂの上部を取り囲むように上方に向けて延在し、その後、２つのステム２０１ｃ、２０１ｄを露出させるようにしてマウンティングカップ２０１ｂの上面に沿って延在する形態をなすものである。また基壁１２ｃにおいて、環状壁１２ａと連結する部位の上面には、上方に向けて延在する上部環状壁１２ｄが設けられている。
【００３２】
ベース部材１３は、保持部材１２の上方において水平方向に延在する天壁１３ａを備えている。天壁１３ａの外縁部には、上部環状壁１２ｄを取り囲むようにして下方へ向けて延在するとともに下端部に外向きフランジを有する周壁１３ｂが設けられている。なお、周壁１３ｂも上部環状壁１２ｄに対して摺動可能となっている。また天壁１３ａは、２つのステム２０１ｃ、２０１ｄの上方に位置する２つの開口１３ｃ、１３ｄと、開口１３ｃ、１３ｄとともにステム２０１ｃ、２０１ｄをそれぞれ取り囲む円筒状の送給筒１３ｅ、１３ｆを備えている。そして天壁１３ａの上面には、開口１３ｃを取り囲むとともに天壁１３ａの中央部において円形を形作る隔壁１３ｇが設けられている。
【００３３】
吐出部材１４は、周壁１３ｂを取り囲んで周壁１３ｂに液密に当接するとともに、周壁１３ｂに嵌合保持される外周壁１４ａを備えている。また吐出部材１４は、外周壁１４ａの上端部に一体に連結するとともに天壁１３ａに対向する造形壁１４ｂを備えている。ここで造形壁１４ｂの下面は、隔壁１３ｇの上面に対して液密に当接している。また造形壁１４ｂには、前述の成形孔４ｃ、４ｄと同様の形状及び配置になる成形孔１４ｃ、１４ｄが設けられている。このような構成によって、天壁１３ａと造形壁１４ｂとの間に形成される内部空間Ｎは、天壁１３ａ及び造形壁１４ｂと隔壁１３ｇ及び外周壁１４ａとによって取り囲まれるとともに、開口１３ｄと成形孔１４ｃが連通する内部通路（外側内部通路）Ｔ１と、天壁１３ａ及び造形壁１４ｂと隔壁１３ｇによって取り囲まれるとともに、開口１３ｃと成形孔１４ｄが連通する内部通路（内側内部通路）Ｔ２に区画されている。また外周壁１４ａの下端部には、造形壁１４ｂから外側に向かうように延在する指掛け部１４ｅが設けられている。
【００３４】
本実施形態の吐出ヘッド１１から内容物を吐出させる場合も、上述した吐出ヘッド１と同様に、指掛け部１４ｅを指で押圧して、図５に示すように吐出部材１４とベース部材１３とを下方に向けて移動させる。ここで、ベース部材１３の周壁１３ｂは、上部環状壁１２ｄを取り囲むとともに上部環状壁１２ｄに対して摺動可能に設けられているため、吐出部材１４とベース部材１３は、保持部材１２に対して傾くことなく水平状態を保ったままスムーズに下方に移動する。そして、下方に移動するベース部材１３によってステム２０１ｃ、２０１ｄが押し下げられるため、吐出容器体２０１に収容された２種類の内容物は、ステム２０１ｃ、２０１ｄからそれぞれ吐出される。そしてステム２０１ｄから吐出された内容物は、送給筒１３ｆを経由して開口１３ｄから外側内部通路Ｔ１に導入され、またステム２０１ｃから吐出された内容物は、送給筒１３ｅを経由して開口１３ｃから内側内部通路Ｔ２に導入される。そして外側内部通路Ｔ１に導入された内容物は、図４に示すように、全体として円環状に配置された成形孔１４ｃから造形要素として吐出され、内側内部通路Ｔ２に導入された内容物は、全体として円形状に配置された成形孔１４ｄから別の造形要素として、また成形孔１４ｃの造形要素とは異なる色で吐出される。このように本実施形態においても、造形物を２色で形成することができるため、高い装飾性を得ることができる。
【００３５】
以上、本発明について具体的な実施形態を示しながら説明したが、本発明に従う吐出ヘッドは、上述した実施形態に限られるものではなく、特許請求の範囲に従う範疇で種々の変更を加えたものも含まれる。例えば上述した吐出容器は、１つのステムを有する吐出容器体を２つ並べたものや、２つのステムを１つの吐出容器体に設けたものであって、これに対応させるべく、吐出ヘッドも２つの送給筒を有するように構成したが、１つのステムを有する吐出容器体を３つ以上並べたものや、３つ以上のステムを１つの吐出容器体に設けたものに使用することも可能であって、その場合は吐出ヘッドの送給筒もステムの数に対応させて３つ以上とすればよい。また上述した実施形態では、エアゾール式の吐出容器を示したが、他の手段で内容物を吐出させる容器（例えばポンプなど）を使用してもよい。また成形孔の形状や数、配置等は所望する造形物にあわせて適宜変更すればよい。また内部通路を区画形成する隔壁は、上述した実施形態では天壁から上方に向けて突出して造形壁に対して液密に当接するように構成していたが、造形壁から下方に向けて突出して天壁に対して液密に当接するように構成してもよい。また吐出容器に収容する内容物も任意に変更してよく、例えば色は同色であっても吐出後の質感が互いに相違するような内容物を使用してもよい。また内容物は、泡状に吐出されるものに限られず、ある程度保形性が得られるもの（例えば、ある程度粘性があるものや練り状のものなど）であればよい。
【符号の説明】
【００３６】
１：吐出ヘッド
２：保持部材
２ａ：環状壁
２ｂ：爪部
２ｃ：内側壁
２ｄ：頂壁
２ｅ：内側側壁
２ｆ：上部環状壁
３：ベース部材
３ａ：天壁
３ｂ：周壁
３ｃ、３ｄ：開口
３ｅ、３ｆ：送給筒
３ｇ：中央壁
３ｈ：外側隔壁（隔壁）
３ｊ：内側隔壁（隔壁）
４：吐出部材
４ａ：外周壁
４ｂ：造形壁
４ｃ、４ｄ：成形孔
４ｅ：指掛け部
１１：吐出ヘッド
１２：保持部材
１２ａ：環状壁
１２ｂ：爪部
１２ｃ：基壁
１２ｄ：上部環状壁
１３：ベース部材
１３ａ：天壁
１３ｂ：周壁
１３ｃ、１３ｄ：開口
１３ｅ、１３ｆ：送給筒
１３ｇ：隔壁
１４：吐出部材
１４ａ：外周壁
１４ｂ：造形壁
１４ｃ、１４ｄ：成形孔
１４ｅ：指掛け部
１００：吐出容器
１０１、１０２：吐出容器体
１０１ａ、１０２ａ：容器本体
１０１ｂ、１０２ｂ：マウンティングカップ
１０１ｃ、１０２ｃ：ステム
２００：吐出容器
２０１：吐出容器体
２０１ａ：容器本体
２０１ｂ：マウンティングカップ
２０１ｃ、２０１ｄ：ステム
Ｎ：内部空間
Ｔ１：外側内部通路（内部通路）
Ｔ２：内側内部通路（内部通路）
【図１】
2019189306.tif 000003
【図２】
2019189306.tif 000004
【図３】
2019189306.tif 000005
【図４】
2019189306.tif 000006
【図５】
2019189306.tif 000007